(57)【特許請求の範囲】
【請求項１】
自動電源オン／オフ機能を備えた携帯型電話機を経由して各種のデータを送受信する機能を備えるとともに、所望の指定時刻に前記携帯型電話機を経由してデータを自動送信するタイマ送信機能を備えた通信装置であって、
前記データを自動送信する時刻を指定する指定手段と、
前記指定手段によって指定された時刻に前記データを送信するタイマ送信手段と、
前記携帯型電話機の自動電源オン／オフ時刻を確認する確認手段と、
前記指定手段によって指定された時刻が前記携帯型電話機の自動電源オフ時刻から自動電源オン時刻までの時間帯であるか否かを判断する判断手段と、
前記判断手段によって指定時刻が自動電源オフ時刻から自動電源オン時刻までの時間帯であると判断されたときは、前記タイマ送信手段による前記データのタイマ送信処理を行わない旨の表示を行う表示手段とを有することを特徴とする通信装置。
【請求項２】
前記表示手段によって前記タイマ送信手段による前記データのタイマ送信処理を行わない旨の表示が行われたとき、前記指定手段によって指定された時刻を変更するか否かをユーザに選択させる選択手段を更に有することを特徴とする請求項１に記載の通信装置。
【請求項３】
前記ユーザが前記選択手段によって指定時刻を変更しないことを選択した際に、前記携帯型電話機とは別の通信回線を経由して前記データをタイマ送信するか否かをユーザに選択させる第２確認手段と、
前記第２確認手段によって前記別の通信回線を経由して前記データをタイマ送信することが選択されたときは、前記タイマ送信手段により前記指定手段によって指定された時刻に前記別の通信回線を経由して前記データを自動送信するタイマ送信制御手段とを更に備えたことを特徴とする請求項２に記載通信装置。
【請求項４】
コンピュータを、自動電源オン／オフ機能を備えた携帯型電話機を経由して各種のデータを送受信する機能を備えるとともに、所望の指定時刻に前記携帯型電話機を経由してデータを自動送信するタイマ送信機能を備えた通信装置の、前記データを自動送信する時刻を指定する指定手段と、前記指定手段によって指定された時刻に前記データを送信するタイマ送信手段と、前記携帯型電話機の自動電源オン／オフ時刻を確認する確認手段と、前記指定手段によって指定された時刻が前記携帯型電話機の自動電源オフ時刻から自動電源オン時刻までの時間帯であるか否かを判断する判断手段と、前記判断手段によって自動電源オフ時刻から自動電源オン時刻までの時間帯であると判断されたときは、前記タイマ送信手段による前記データのタイマ送信処理を行わない旨の表示を行う表示手段として機能させるためのプログラムを記憶したコンピュータ読み取り可能な記憶媒体。
【請求項５】
前記コンピュータを、前記表示手段によって前記タイマ送信手段による前記データのタイマ送信処理を行わない旨の表示が行われたとき、前記指定手段によって指定された時刻を変更するか否かをユーザに選択させる選択手段として更に機能させるためのプログラムを記憶した、請求項４に記載のコンピュータ読み取り可能な記憶媒体。
【請求項６】
前記コンピュータを、前記ユーザが前記選択手段によって指定時刻を変更しないことを選択した際に、前記携帯型電話機とは別の通信回線を経由して前記データをタイマ送信するか否かをユーザに選択させる第２確認手段と、前記第２確認手段によって前記別の通信回線を経由して前記データをタイマ送信することが選択されたときは、前記タイマ送信手段により前記指定手段によって指定された時刻に前記別の通信回線を経由して前記データを自動送信するタイマ送信制御手段として更に機能させるためのプログラムを記憶した、請求項５に記載のコンピュータ読み取り可能な記憶媒体。
【発明の詳細な説明】
【０００１】
【発明の属する技術分野】
本発明は、自動電源オン／オフ機能を備えた携帯型電話機を経由して相手先と通信できる一方、所望の指定時刻にデータを自動送信するといったタイマ送信機能を備えたファクシミリ装置などの通信装置に関する。
【０００２】
【従来の技術】
最近のファクシミリ装置には、所望の指定時刻に予約された相手先に対してファクシミリデータを自動送信するといったタイマ送信機能が備えられている。一方、この種のファクシミリ装置と携帯型電話機との融合化を図り、外付接続された携帯型電話機を経由してファクシミリデータを送受信できるファクシミリ装置もある。
【０００３】
ところで、最近の携帯型電話機には、深夜に着信音を鳴らさないためや節電などのために自動電源オン／オフ機能が備えられている。この自動電源オン／オフ機能によれば、自動電源オン時刻になると、自動的に携帯型電話機が電源オン状態とされる一方、自動電源オフ時刻になると、自動的に電源オフ状態とされ、携帯型電話機をいろんな使い道で利用できるように機能拡張が図られている。
【０００４】
【発明が解決しようとする課題】
ところが、ユーザは、ファクシミリ装置のタイマ送信機能に応じて所望の指定時刻を何ら問題なく設定できるが、自動電源オン／オフ機能を備えた携帯型電話機を経由してファクシミリデータを自動送信するモードでは、その自動送信に失敗するおそれがあった。
【０００５】
つまり、携帯型電話機を経由してファクシミリデータを自動送信する場合、携帯型電話機の自動電源オフ時刻から自動電源オン時刻までの時間帯にタイマ送信機能に基づく指定時刻が設定されていると、その指定時刻になっても、ユーザが強制的に電源オンとしない限り携帯型電話機が電源オフ状態とされる。そのため、タイマ送信機能に応じた指定時刻になっても携帯型電話機を経由した自動送信を行うことができず、タイマ送信機能に基づく自動送信を確実に期することができなかった。
【０００６】
本発明は、上記の点に鑑みて提案されたものであって、タイマ送信機能に基づく自動送信を確実に期することができる通信装置、およびそのような通信装置の動作を実現するためのプログラムを記憶した記憶媒体を提供することを目的とする。
【０００７】
【課題を解決するための手段】
上記目的を達成するために、請求項１に記載した発明の通信装置は、自動電源オン／オフ機能を備えるとともに、所望の指定時刻に前記携帯型電話機を経由してデータを自動送信するタイマ送信機能を備えた通信装置であって、前記データを自動送信する時刻を指定する指定手段と、前記指定手段によって指定された時刻に前記データを送信するタイマ送信手段と、前記携帯型電話機の自動電源オン／オフ時刻を確認する確認手段と、前記指定手段によって指定された時刻が前記携帯型電話機の自動電源オフ時刻から自動電源オン時刻までの時間帯であるか否かを判断する判断手段と、前記判断手段によって指定時刻が自動電源オフ時刻から自動電源オン時刻までの時間帯であると判断されたときは、前記タイマ送信手段による前記データのタイマ送信処理を行わない旨の表示を行う表示手段とを有することを特徴とする。
【０００８】
このような通信装置によれば、タイマ送信すべき時刻として指定された時刻が携帯型電話機の電源が自動的にオフにされている時間帯であるときは、携帯型電話機を経由してデータをタイマ送信する処理を行なわない旨の表示が行われるので、ユーザは、確定した時刻に携帯型電話機を経由してデータを自動送信できないことを確実に知ることができる。
【０００９】
また、請求項２に記載した発明の通信装置は、請求項１に記載の通信装置であって、前記表示手段によって前記タイマ送信手段による前記データのタイマ送信処理を行わない旨の表示が行われたとき、前記指定手段によって指定された時刻を変更するか否かをユーザに選択させる選択手段を更に有することを特徴とする。
【００１０】
このような通信装置によれば、ユーザは、携帯型電話機を経由してデータを自動送信可能な指定時刻にあらためて設定し直すことができ、タイマ送信機能に基づく自動送信を確実に期することができる。
【００１１】
さらに、請求項３に記載した発明の通信装置は、請求項２に記載の通信装置であって、前記ユーザが前記選択手段によって指定時刻を変更しないことを選択した際に、前記携帯型電話機とは別の通信回線を経由して前記データをタイマ送信するか否かをユーザに選択させる第２確認手段と、前記第２確認手段によって前記別の通信回線を経由して前記データをタイマ送信することが選択されたときは、前記タイマ送信手段により前記指定手段によって指定された時刻に前記別の通信回線を経由して前記データを自動送信するタイマ送信制御手段とを更に備えたことを特徴とする。
【００１２】
【００１３】
【００１４】
【００１５】
【００１６】
このような通信装置によれば、携帯型電話機を経由してデータをタイマ送信するために設定した指定時刻が、携帯型電話機の自動電源オフ時刻から自動電源オン時刻までの時間帯にある場合であっても、その指定時刻の際には、携帯型電話機に代わり他の通信回線を経路としてデータのタイマ送信が行われるので、本来、携帯型電話機を経由して自動送信できない指定時刻には、他の通信回線を迂回経路に選んで自動送信することができ、タイマ送信機能に基づく自動送信を確実に期することができる。
【００１７】
また、請求項４に記載した発明の記憶媒体は、コンピュータを、自動電源オン／オフ機能を備えた携帯型電話機を経由して各種のデータを送受信する機能を備えるとともに、所望の指定時刻に前記携帯型電話機を経由してデータを自動送信するタイマ送信機能を備えた通信装置の、前記データを自動送信する時刻を指定する指定手段と、前記指定手段によって指定された時刻に前記データを送信するタイマ送信手段と、前記携帯型電話機の自動電源オン／オフ時刻を確認する確認手段と、前記指定手段によって指定された時刻が前記携帯型電話機の自動電源オフ時刻から自動電源オン時刻までの時間帯であるか否かを判断する判断手段と、前記判断手段によって自動電源オフ時刻から自動電源オン時刻までの時間帯であると判断されたときは、前記タイマ送信手段による前記データのタイマ送信処理を行わない旨の表示を行う表示手段として機能させるためのプログラムを記憶したことを特徴とする。
【００１８】
このような記憶媒体によれば、記憶されたプログラムに基づいてＣＰＵを動作させることにより、請求項１に記載の通信装置の動作を実現することができる。
【００１９】
さらに、請求項５に記載した発明の記憶媒体は、請求項４に記載した記憶媒体であって、前記コンピュータを、前記表示手段によって前記タイマ送信手段による前記データのタイマ送信処理を行わない旨の表示が行われたとき、前記指定手段によって指定された時刻を変更するか否かをユーザに選択させる選択手段として更に機能させるためのプログラムを記憶したことを特徴とする。
【００２０】
このような記憶媒体によれば、記憶されたプログラムに基づいてＣＰＵを動作させることにより、請求項２に記載の通信装置の動作を実現することができる。
【００２１】
また、請求項６に記載した発明の記憶媒体は、請求項５に記載した記憶媒体であって、前記コンピュータを、前記ユーザが前記選択手段によって指定時刻を変更しないことを選択した際に、前記携帯型電話機とは別の通信回線を経由して前記データをタイマ送信するか否かをユーザに選択させる第２確認手段と、前記第２確認手段によって前記別の通信回線を経由して前記データをタイマ送信することが選択されたときは、前記タイマ送信手段により前記指定手段によって指定された時刻に前記別の通信回線を経由して前記データを自動送信するタイマ送信制御手段として更に機能させるためのプログラムを記憶したことを特徴とする。
【００２２】
このような記憶媒体によれば、記憶されたプログラムに基づいてＣＰＵを動作させることにより、請求項３に記載の通信装置の動作を実現することができる。
【００２３】
【発明の実施の形態】
以下、本発明の好ましい実施の形態について図面を参照して説明する。
【００２４】
図１は、本発明に係る通信装置の一実施形態として、ファクシミリ装置の構成を示したブロック図である。この図に示すように、本発明に係るファクシミリ装置Ａは、ＣＰＵ１０、ＮＣＵ１１、ＲＡＭ１２、モデム１３、ＲＯＭ１４、ＥＥＰＲＯＭ１５、ゲートアレイ１６、コーデック１７、ＤＭＡＣ１８、読取部２１、印刷部２２、操作部２３、表示部２４、音声出力部２５、および外付接続部２６などを具備して概略構成されている。ＣＰＵ１０、ＮＣＵ１１、ＲＡＭ１２、モデム１３、ＲＯＭ１４、ＥＥＰＲＯＭ１５、ゲートアレイ１６、コーデック１７、およびＤＭＡＣ１８は、バス線２７により相互に接続されている。バス線２７には、アドレスバス、データバス、および制御信号線が含まれる。ゲートアレイ１６には、読取部２１、印刷部２２、操作部２３、表示部２４、音声出力部２５、および外付接続部２６が接続されている。ＮＣＵ１１には、通信回線としての公衆電話回線２８が接続されている。一方、外付接続部２６には、携帯型電話機Ｂが接続されている。なお、バス線２７には、電源ユニット２０からの電力供給を制御する充電制御部１９が接続されている。この充電制御部１９は、後述する外付接続部２６を介して携帯型電話機Ｂを充電するための構成であって、ユーザが帰宅時に携帯型電話機Ｂを充電する際、特別なケーブルの接続作業などを必要とせず、音声データの再生を容易にするために設けられたものである。
【００２５】
ＣＰＵ１０は、ファクシミリ装置全体の動作を制御する。ＮＣＵ１１は、公衆電話回線２８に接続されて網制御を行う。ＲＡＭ１２は、ＣＰＵ１０の作業領域や各種データの格納領域などを提供する。モデム１３は、ファクシミリデータの変調や復調などを行う。ＲＯＭ１４は、ＣＰＵ１０が実行すべきプログラムなどを記憶している。ＥＥＰＲＯＭ１５は、各種のフラグや設定情報などを記憶する。ゲートアレイ１６は、ＣＰＵ１０と各部２１〜２６とのインターフェイスとして機能する。また、ゲートアレイ１６には、日時を管理するためにリアルタイムクロック回路が組み込まれている。コーデック１７は、ファクシミリデータなどの符号化や復号化を行う。ＤＭＡＣ１８は、主にＲＡＭ１２へのデータの書き込みや読み出しを行う。
【００２６】
読取部２１は、イメージセンサやＬＥＤ光源などを備え、原稿などから文字や図形などの画像を読み取る。印刷部２２は、たとえばインクジェット方式などにより文字や図形などの画像を印刷する。操作部２３は、テンキーや文字キーなどのキースイッチ群を備え、ユーザのキー操作に応じた指令をＣＰＵ１０に伝える。表示部２４は、ＬＣＤなどのディスプレイを備え、動作状態や操作ガイダンスなどを表示する。音声出力部２５は、増幅回路やスピーカなどを備え、通話音などを発する。外付接続部２６は、携帯型電話機Ｂをシリアルケーブル３０により接続するためのポートであって、この携帯型電話機Ｂとの間であらかじめ決められた通信手順に基づいてデータや信号を交換する。また、前記シリアルケーブル３０内の充電用ラインを介して携帯型電話機Ｂの充電を行うことができる。なお、携帯型電話機Ｂは、移動体通信網を介して相手先との間で通信を可能とし、後述する自動電源オン／オフ機能を備えたものであるが、広く一般的なものであることから、その詳細な図示説明を省略する。
【００２７】
要点について説明すると、本ファクシミリ装置Ａは、所望の指定時刻に予約された相手先に対してファクシミリデータを自動送信するといったタイマ送信機能を備える。また、ファクシミリ装置Ａは、公衆電話回線２８を経由してファクシミリ通信などを可能とする通常接続モードのほか、外付接続された携帯型電話機Ｂを経由してファクシミリデータを送受信できる携帯接続モードを有する。この携帯接続モードでは、移動体通信網とファクシミリ装置Ａとの間で携帯型電話機Ｂを経由してファクシミリデータをやり取りすることができる。
【００２８】
一方、この携帯型電話機Ｂには、自動電源オン／オフ機能が備えられており、この自動電源オン／オフ機能によれば、自動電源オン時刻になると、自動的に携帯型電話機Ｂが電源オン状態とされる一方、自動電源オフ時刻になると、自動的に電源オフ状態とされる。
【００２９】
上記の点を踏まえた上で、携帯型電話機Ｂを経由して自動送信を行うべく指定時刻を設定する場合、その指定時刻が携帯型電話機Ｂの自動電源オフ時刻から自動電源オン時刻までの時間帯に設定されると、実際の指定時刻には、携帯型電話機Ｂが電源オフ状態とされ、そのままでは携帯型電話機Ｂを経由して自動送信することができない。
【００３０】
そこで、本実施形態では、携帯型電話機Ｂを経由する自動送信の指定時刻として、自動電源オフ時刻から自動電源オン時刻までのある時点における時刻が設定入力されると、ＣＰＵ１０の制御によりタイマ送信機能が無効とされ、その旨のメッセージが表示部２４において表示されるように構成されている。当初設定した指定時刻ではタイマ送信機能が無効とされ、その指定時刻では自動送信されない旨のメッセージを確認したユーザは、あらためて適当な指定時刻を設定することができる。その結果、ユーザは、再度設定した指定時刻に携帯型電話機Ｂを経由して確実に自動送信させることができる。
【００３１】
また、当初設定された指定時刻であってもその指定時刻に自動送信をユーザが望む場合には、その指定時刻を変更することなく自動送信を可能とすることができる。つまり、タイマ送信機能を無効とする旨のメッセージが表示される際、表示部２４には、指定時刻を変更するか、または指定時刻を変更せずに自動送信を有効とするかの選択画面が表示される。ユーザにより後者が選択された場合、ファクシミリ装置ＡのＣＰＵ１０は、当初設定された指定時刻になると、シリアルケーブル３０を介して制御信号を送出することにより携帯型電話機Ｂを電源オフ状態から電源オン状態に切り換える。これにより、タイマ送信機能が無効となる当初の指定時刻でも、携帯型電話機Ｂがファクシミリ装置Ａの制御に応じて自動的に電源オンの状態とされ、この携帯型電話機Ｂを経由して確実に自動送信させることができる。なお、携帯型電話機Ｂを経由して自動送信中に携帯型電話機Ｂの自動電源オフ時刻となっても、携帯型電話機Ｂを電源オフ状態とすることなく、この携帯型電話機Ｂを経由した自動送信処理が継続される。
【００３２】
さらに、当初設定した指定時刻により自動送信を有効とすることが選択された場合であっても、ユーザの設定操作に応じて携帯型電話機Ｂから公衆電話回線２８に経路を変更できる場合や、ファクシミリ装置Ａの制御に応じて携帯型電話機Ｂを自動的に電源オンの状態にできない場合などには、ＣＰＵ１０の制御により携帯型電話機Ｂを経由することなく公衆電話回線２８を迂回経路として自動送信が可能とされる。つまり、当初の指定時刻には、自動電源オン／オフ機能に基づいて電源オフ状態とされる携帯型電話機Ｂを利用せずとも、公衆電話回線２８を経由して確実に自動送信させることができる。
【００３３】
すなわち、ＣＰＵ１０は、携帯型電話機の自動電源オフ時刻から自動電源オン時刻までの時間帯にデータの送信処理の少なくとも一部が含まれる場合に、その送信条件に応じて送信処理を制御する送信処理制御手段を実現している。具体的には、携帯型電話機の自動電源オフ時刻から自動電源オン時刻までの時間帯に指定時刻が設定された場合、タイマ送信機能を無効とするタイマ送信制御手段を実現している。また、ＣＰＵ１０は、携帯型電話機の自動電源オフ時刻から自動電源オン時刻までの時間帯に指定時刻が設定された場合、その指定時刻の際には、携帯型電話機を電源オフ状態から電源オン状態に切り換えてタイマ送信機能を有効とするタイマ送信制御手段を実現している。さらに、ＣＰＵ１０は、携帯型電話機の自動電源オフ時刻から自動電源オン時刻までの時間帯に指定時刻が設定された場合、その指定時刻の際には、通信回線を経路に選んでタイマ送信機能を有効とするタイマ送信制御手段を実現している。
【００３４】
一方、ＲＯＭ１４は、自動電源オン／オフ機能を備えた携帯型電話機を経由して各種のデータを送受信する機能を備えるとともに、所望の指定時刻に携帯型電話機を経由してデータを自動送信するタイマ送信機能を備えた通信装置を制御するためのプログラムを記憶した記憶媒体であって、携帯型電話機の自動電源オフ時刻から自動電源オン時刻までの時間帯に指定時刻が設定された場合、タイマ送信機能を無効とするためのタイマ送信制御プログラムを含むプログラムを記憶した記憶媒体を実現している。また、ＲＯＭ１４は、携帯型電話機の自動電源オフ時刻から自動電源オン時刻までの時間帯に指定時刻が設定された場合、その指定時刻の際には、携帯型電話機を電源オフ状態から電源オン状態に切り換えてタイマ送信機能を有効とするためのタイマ送信制御プログラムを含むプログラムを記憶した記憶媒体を実現している。さらにＲＯＭ１４は、通信回線を経由してデータを送受信するのみならず、自動電源オン／オフ機能を備えた携帯型電話機を経由して各種のデータを送受信する機能を備えるとともに、所望の指定時刻に携帯型電話機を経由してデータを自動送信するタイマ送信機能を備えた通信装置を制御するためのプログラムを記憶した記憶媒体であって、携帯型電話機の自動電源オフ時刻から自動電源オン時刻までの時間帯に指定時刻が設定された場合、その指定時刻の際には、通信回線を経路に選んでタイマ送信機能を有効とするためのタイマ送信制御プログラムを含むプログラムを記憶した記憶媒体を実現している。
【００３５】
次に、ファクシミリ装置Ａの動作について図面に基づいて説明する。
【００３６】
図２は、ファクシミリ装置Ａのタイマ送信設定処理手順を示すフローチャート、図３〜７は、タイマ送信設定時における表示画面の各例を説明するための説明図である。なお、以下の説明では、「自動送信」と「タイマ送信」とは同義とし、携帯接続モードでのタイマ送信を設定する場合とする。
【００３７】
まず、携帯接続モードによるタイマ送信設定を行う場合、ＣＰＵ１０は、表示部２４を制御して図３に示すような初期画面を表示させる（Ｓ１）。この初期画面においては、タイマ送信をするかしないかの選択欄とともに、タイマ送信の指定時刻を入力するための欄が表示される。操作部２３のテンキーを介して入力された指定時刻は、ユーザが確定ボタンを押下することでＣＰＵ１０に対して通知される。なお、タイマ送信の指定時刻には、時刻そのものだけでなく月日も含まれる。
【００３８】
指定時刻が確定入力されると（Ｓ２：ＹＥＳ）、ＣＰＵ１０は、自動電源オン／オフ機能により携帯型電話機Ｂに設定されている自動電源オン／オフ時刻を、シリアルケーブル３０を介してその携帯型電話機Ｂに対して通知すべきことを要求し、それに応じた携帯型電話機Ｂからの通知により自動電源オン／オフ時刻を確認する（Ｓ３）。
【００３９】
そして、ＣＰＵ１０は、携帯型電話機Ｂの自動電源オフ時刻から自動電源オン時刻の時間帯に、ユーザにより確定入力された指定時刻が含まれるか否かを判定する（Ｓ４）。要するに、たとえば自動電源オフ時刻を２３：００とし、かつ、自動電源オン時刻を７：００として携帯型電話機Ｂに設定されている場合、２３：００から７：００までの時間帯においては、携帯電話機Ｂが電源オフ状態とされるが、そのような電源オフの時間帯に指定時刻があるか否かを判断するのである。
【００４０】
携帯型電話機Ｂの電源オフ状態となる時間帯に指定時刻が設定された場合（Ｓ４：ＹＥＳ）、ＣＰＵ１０は、図４に示すようなタイマ送信を無効とする内容の画面を表示部２４に表示させる（Ｓ５）。これにより、ユーザは、当初確定した指定時刻に携帯型電話機Ｂを経由して自動送信できないことを知ることができる。そのため、表示画面には、タイマ送信を無効とするメッセージのほか、当初確定した指定時刻を変更するか否かをユーザに対して問うためのメッセージも表示される。
【００４１】
これを受けて、ＣＰＵ１０は、ユーザにより指定時刻の変更が選択されたか否かを判断する（Ｓ６）。
【００４２】
タイマ送信を無効とするメッセージに対しても、ユーザが当初確定した指定時刻における自動送信を強く望み、その指定時刻を変更しないことが選択された場合（Ｓ６：ＮＯ）、ＣＰＵ１０は、図５に示すような通信経路を変更するか否かを問う選択画面を表示部２４に表示させ、ユーザにより通信経路の変更が選択されたか否かを判断する（Ｓ７）。
【００４３】
それに対しても、通信経路を変更せずに携帯型電話機Ｂを経由した自動送信とする場合（Ｓ７：ＮＯ）、ＣＰＵ１０は、当初確定した指定時刻に携帯型電話機Ｂを電源オンとすることを予定動作として設定する（Ｓ８）。これにより、本来は携帯型電話機Ｂが電源オフ状態にあるために、この携帯型電話機Ｂを経由して自動送信できない指定時刻であっても、その指定時刻には、携帯型電話機Ｂが電源オン状態とされることで自動送信を行うことができる。要するに、実際に指定時刻となったときには、ＣＰＵ１０の制御により携帯型電話機Ｂに対して起動コマンドが送信され、その起動コマンドに応じて携帯型電話機Ｂが電源オフ状態から電源オン状態に切り換えられるのである。このような予定動作が受け付けられると、表示部２４には、図６に示すような画面が表示される。
【００４４】
さらに、ＣＰＵ１０は、図７に示すような指定時刻に自動送信すべき相手先電話番号の入力画面を表示部２４に表示させる（Ｓ９）。これを受けてユーザにより入力された相手先電話番号は、先の予定動作と関連付けられて指定時刻になるまでＲＡＭ１２に記憶される。実際に指定時刻となったときには、その相手先電話番号がＲＡＭ１２から読み出されて携帯型電話機Ｂを経由して発呼される。
【００４５】
最後に、ＣＰＵ１０は、自動送信用の原稿を読取部２１の所定箇所にセットすべきことを促す画面を表示部２４に表示させ（Ｓ１０）、これまでの一連の処理を終える。これを受けてユーザによりセットされた原稿は、読取部２１に読み取られることでファクシミリ送信データとされ、このファクシミリ送信データが先の予定動作や指定時刻と関連付けられて指定時刻になるまでＲＡＭ１２に記憶される。実際に指定時刻となったときには、そのファクシミリ送信データがＲＡＭ１２から読み出されて自動的に送信されることとなる。
【００４６】
Ｓ７において、通信経路を変更する場合（Ｓ７：ＹＥＳ）、ＣＰＵ１０は、当初確定した指定時刻をそのままとしつつも、その指定時刻には携帯型電話機Ｂから公衆電話回線２８に通信経路を切り換えて自動送信することを予定動作として設定し（Ｓ１１）、その後Ｓ９に進む。これにより、本来は携帯型電話機Ｂが電源オフ状態にあるために、この携帯型電話機Ｂを経由して自動送信できない指定時刻であっても、その指定時刻には、常時通信可能な状態にある公衆電話回線２８を経由して自動送信を行うことができる。なお、自動電源オン／オフ状態を他の接続機器から制御できない携帯型電話機の場合には、自動的にＳ７：ＹＥＳに進むようにしても良く、あるいは、Ｓ６：ＮＯの時点でＳ１１に進むとしても良い。
【００４７】
Ｓ６において、タイマ送信を無効とするメッセージに対してユーザが当初確定した指定時刻を変更する場合（Ｓ６：ＹＥＳ）、ＣＰＵ１０は、再び図３の初期画面の表示に戻る。その後、ユーザにより別の指定時刻が入力されることとなるが、自動電源オン／オフ時刻については、Ｓ３によりすでに確認されていることから、このＳ３をスキップ処理しても良い。
【００４８】
Ｓ４において、携帯型電話機Ｂが自動的に電源オフ状態とされる時間帯以外に指定時刻が設定された場合（Ｓ４：ＮＯ）、ＣＰＵ１０は、その指定時刻に携帯型電話機Ｂを経由して自動送信することを予定動作として設定し（Ｓ１２）、その後Ｓ９に進む。この場合、基本的に携帯型電話機Ｂが電源オン状態にある時間帯に指定時刻があるため、その指定時刻に携帯型電話機Ｂを経由して自動送信を行うことができる。なお、基本的に電源オン状態の時間帯であっても、指定時刻の際に携帯型電話機Ｂがユーザの操作に応じて電源オフ状態とされている場合などには、携帯型電話機Ｂに起動コマンドを送信することで自動的に電源オン状態に切り換えるとしても良い。
【００４９】
Ｓ２において、指定時刻が確定入力されない場合（Ｓ２：ＮＯ）、ＣＰＵ１０は、Ｓ１に戻って初期画面の表示を続けさせる。
【００５０】
したがって、上記ファクシミリ装置Ａによれば、携帯型電話機Ｂを経由したタイマ送信機能に基づく自動送信のために指定時刻を設定する際、その指定時刻が携帯型電話機Ｂの電源オフ状態となる時間帯にある場合には、タイマ送信機能が無効とされるので、それに応じてユーザは、携帯型電話機Ｂを経由して自動送信可能な指定時刻にあらためて設定し直すことができ、タイマ送信機能に基づく自動送信を確実に期することができる。
【００５１】
また、当初設定した指定時刻が携帯型電話機Ｂの電源オフ状態となる時間帯にある場合であっても、ユーザが望む場合には、その指定時刻に携帯型電話機Ｂが電源オフ状態から電源オン状態に切り換えられてタイマ送信機能が有効とされるので、本来、携帯型電話機Ｂを経由して自動送信できない指定時刻でも、ファクシミリ装置Ａから携帯型電話機Ｂを経由してファクシミリ送信データを自動送信することができ、タイマ送信機能に基づく自動送信を確実に期することができる。
【００５２】
さらに、ユーザが望む場合や携帯型電話機Ｂが起動コマンドに対応できない場合などには、当初設定した指定時刻でも、携帯型電話機Ｂに代わり公衆電話回線２８を経路としてタイマ送信機能が有効とされるので、本来、携帯型電話機Ｂを経由して自動送信できない指定時刻であっても、一般に常時通信可能な公衆電話回線２８を迂回経路に選んで自動送信することができ、タイマ送信機能に基づく自動送信を確実に期することができる。
【００５３】
なお、本発明は、上記の実施形態に限定されるものではない。
【００５４】
本発明は、ファクシミリ装置Ａに限らず、携帯型電話機Ｂと接続可能で音声データなどを自動送信する機能を備えた据置型電話機やパーソナルコンピュータなどにも適用できる。自動送信するデータとしては、ファクシミリデータや音声データに限らず、たとえば電子メールなどであっても良い。タイマ送信とは、単なる送信だけでなく、他のファクシミリ装置からデータを取り出すポーリング受信や、データのダウンロードなどを含むものでも構わない。
【００５５】
本実施形態では、当初設定した指定時刻に対してタイマ送信機能を無効とし、その指定時刻を変更しない場合には、携帯型電話機Ｂを電源オン状態に切り換え、あるいは通信経路を変更することとし、一連の手順に従って予定動作を設定するように構成されているが、これらの予定動作は、それぞれが単独で設定されるように構成しても良い。たとえば、図２のフローチャートにおいて、Ｓ４：ＹＥＳの場合には、Ｓ５を経てＳ６：ＮＯが許されない動作手順でも良い。また、Ｓ４：ＹＥＳの場合には、Ｓ５〜Ｓ７を実行することなく、そのままＳ８あるいはＳ１１に進む動作手順としても良い。ファクシミリ通信時には、通常数分から数１０分かかるため、タイマ送信の指定時刻が自動電源オフ時刻よりわずかに前であっても、上記の処理を行うようにしても良い。
【００５６】
自動送信の件数としては、１つの相手先に対して１つのデータに限らず、複数の相手先に対してそれぞれ複数のデータを対応させることができる。
【００５７】
本実施形態では、ファクシミリ装置Ａと携帯型電話機Ｂとを接続するケーブル３０に充電機能をも加えているので、ユーザは、帰宅した際などに携帯型電話機Ｂを充電できるが、このような充電機能は、必ずしも備える必要はない。
【００５８】
ファクシミリ装置Ａと携帯型電話機Ｂとは、有線方式によりケーブルを介して接続されるほか、赤外線、スペクトラム拡散またはBluetooth などを利用した無線方式で接続されるとしても良い。
【００５９】
【発明の効果】
以上説明したように、請求項１に記載した発明の通信装置によれば、タイマ送信すべき時刻として指定された時刻が携帯型電話機の電源が自動的にオフにされている時間帯であるときは、携帯型電話機を経由してデータをタイマ送信する処理を行なわない旨の表示が行われるので、ユーザは、確定した時刻に携帯型電話機を経由してデータを自動送信できないことを確実に知ることができる。
【００６０】
また、請求項２に記載した発明の通信装置によれば、ユーザは、携帯型電話機を経由してデータを自動送信可能な指定時刻にあらためて設定し直すことができ、タイマ送信機能に基づく自動送信を確実に期することができる。
【００６１】
【００６２】
【００６３】
さらに、請求項３に記載した発明の通信装置によれば、携帯型電話機を経由してデータをタイマ送信するために設定した指定時刻が、携帯型電話機の自動電源オフ時刻から自動電源オン時刻までの時間帯にある場合であっても、その指定時刻の際には、携帯型電話機に代わり他の通信回線を経路としてデータのタイマ送信が行われるので、本来、携帯型電話機を経由して自動送信できない指定時刻には、他の通信回線を迂回経路に選んで自動送信することができ、タイマ送信機能に基づく自動送信を確実に期することができる。
【００６４】
また、請求項４に記載した発明の記憶媒体によれば、記憶されたプログラムに基づいてＣＰＵを動作させることにより、請求項１に記載の通信装置の動作を実現することができる。
【００６５】
さらに、請求項５に記載した発明の記憶媒体によれば、記憶されたプログラムに基づいてＣＰＵを動作させることにより、請求項２に記載の通信装置の動作を実現することができる。
【００６６】
また、請求項６に記載した発明の記憶媒体によれば、記憶されたプログラムに基づいてＣＰＵを動作させることにより、請求項３に記載の通信装置の動作を実現することができる。
【図面の簡単な説明】
【図１】本発明に係る通信装置の一実施形態として、ファクシミリ装置の構成を示したブロック図である。
【図２】ファクシミリ装置のタイマ送信設定処理手順を示すフローチャートである。
【図３】タイマ送信設定時における表示画面の一例を説明するための説明図である。
【図４】タイマ送信設定時における表示画面の一例を説明するための説明図である。
【図５】タイマ送信設定時における表示画面の一例を説明するための説明図である。
【図６】タイマ送信設定時における表示画面の一例を説明するための説明図である。
【図７】タイマ送信設定時における表示画面の一例を説明するための説明図である。
【符号の説明】
１０  ＣＰＵ
１１  ＮＣＵ
１２  ＲＡＭ
１３  モデム
１４  ＲＯＭ
１５  ＥＥＰＲＯＭ
１６  ゲートアレイ
１７  コーデック
１８  ＤＭＡＣ
１９  充電制御部
２０  電源ユニット
２１  読取部
２２  印刷部
２３  操作部
２４  表示部
２５  音声出力部
２６  外付接続部
２８  公衆電話回線
Ａ    ファクシミリ装置
Ｂ    携帯型電話機
【図１】
0003622662.tif 000002
【図２】
0003622662.tif 000003
【図３】
0003622662.tif 000004
【図４】
0003622662.tif 000005
【図５】
0003622662.tif 000006
【図６】
0003622662.tif 000007
【図７】
0003622662.tif 000008